(57)【要約】      （修正有）【課題】安価で短時間の使用に適した安易に使える暖房ショールを提供する。【解決手段】ショールは、生地とマイクロカーボンファイバーヒーター（以下、ヒーターという。）２およびスイッチ３と電源電池４によって概略構成されている。ショールは、正方形の生地を斜め二つ折りにして上部２角の端を切断して該切断幅の筒状空間１ｄと為し、電池ポケット４ｐやスイッチ３の取り付け及び紐１ｈを通す空間１ｄとして利用する。上記二つ折り構造は、生地と縫製の原価低減に寄与すると共に折り方や切り方を変えることにより形状とデザインの自由度を増すことが出来る。ヒーター２はショール内の所定の位置に緩衝材で覆って取り付けて、紐１ｈは前記筒状空間１ｄを通して紐穴から出す。電源電池４は、ショール上部筒状空間１ｄの中央部に設けた電池ポケット４ｐに入れて、ファスナー４ｆを開閉して出し入れする。電源電池４とヒーター２はスイッチ３を介して、コネクター付きの電源線１ｗで結ぶ。【選択図】図２
0003188373.tif 000002
【実用新案登録請求の範囲】
【請求項１】
三角形状をした基布からなる暖房ショールであって、最大長辺部に沿って袋部が設けられており、その袋部のほぼ中央部に電池を内臓した開閉自在の開口部をもったポケット部が設けられ、長辺部の中央下部に対向する基布上に柔軟性を有する発熱体が設けられており、その発熱体とポケット部の電池とがスイッチを介して着脱自在に接続されており、袋部の両端近傍部および三角形状の長辺と対向する頂点近傍部とに相互に着脱可能な接合具が設けられていることを特徴とする暖房ショール。
【請求項２】
発熱体が三角形の基布と着脱自在に構成されている事を特徴とする請求項１記載の暖房ショール。
【請求項３】
袋部に紐上物を挿入できる開口部を少なくとも２つ設けられている事を特徴とする請求項１又は２に記載の暖房ショール。
【考案の詳細な説明】
【技術分野】
【０００１】
本考案は冬期に用いることができる暖房ショールに関する。          
【背景技術】
【０００２】
携帯型の暖房具には各種懐炉やヒーター内臓型のジャケットやブランケット等の暖房衣がある。
１）一つは、懐炉の代表的存在となった貼付け式の使い捨て懐炉だが、該懐炉は安価で温めたい所に任意に付けられると言う特徴を有する反面、準備時間が必要な事と構造上放熱が始まると所定の長時間放熱が続き任意に止められないものである。
２）他方ヒーター内臓型のジャケットやブランケット等の暖房衣は、放熱の立上りは早いが高価な上それぞれの名前に従って使い方が限定されるという問題点があった。
例えばブランケット等室内用に作られたものは屋外使用には不向きであり、ジャケットやベストは屋内外での使用が可能だが使用形態が限られていた。
【０００３】
上記１）、２）の特徴を兼備えたもの、例えば冬季、朝のゴミ出し等にさっと羽織って出て行けるもの、あるいは近間の買い物に行く時等、巻きスカート替わりに一寸巻いて出て行ける様な、短時間の使用に適した便利で安価な暖房具が求められていた。
【先行技術文献】
【特許文献】
【０００４】
【特許文献１】特開２００９−２７５３２５号公報
【特許文献２】特開２００１−１７８７６０号公報
【特許文献３】実用新案登録  第３１６５２０４号公報
【考案の概要】
【考案が解決しようとする課題】
【０００５】
本考案は、安価ですぐに暖かくなり、短時間使用に適した安易・簡単に使える暖房衣を提供することを課題とする。
【課題を解決するための手段】
【０００６】
上記課題を解決するため本考案は、方形の布を二つ折りにして電源電池とスイッチを備えヒーターを内包した紐付きのショールにして、放熱の立上りが早く任意に止められる利便性を有する多用途対応形の暖房ショール（以下、これをショールと言う。）と為して、前記ジャケットや使い捨て懐炉の問題点を補うことにより課題を解決する。
【０００７】
電源電池はショール内に設けた電池ポケットに収納する事が好ましいが、別途電池ポケットを設けたり独立した電池ボックスとしたものを用いても良い。
電池ボックスはスイッチ一体形にしてもよい。
ショールは紐付きが好ましいが、無くても良い。
ショールは二つ折りの三角形が好ましいが、長方形や半円形他の形でもよい。
ショールの生地は裏打ち加工するのが好ましいが、生地のままでもよい。    
ヒーターはマイクロカーボンファイバーヒーターが好ましいが、ヒーター線を用いた編組形でもよい。
ヒーターは緩衝材で覆うのが好ましいが、覆わなくてもよい。
ヒーターはショール内に設けるのが好ましいが、独立型にして他へ転用しても良い。
ヒーターとスイッチはユニット化するのが好ましい。
【考案の効果】
【０００８】
本考案は、安価で安易に使えて短時間使用に適したショール形の暖房衣であって、ショールや巻きスカート他多用途に使えるものである。
【図面の簡単な説明】
【０００９】
【図１】実施例１のショール１の外形図
【図２】ショール１の部分開口図
【図３】実施例２ショール２１の外形図
【図４】独立型のヒーター２２の外形図
【図５】図３X−X’の断面図
【図６】独立型の電池ボックス２４の斜視図
【考案を実施するための形態】
【００１０】
以下図面に従って説明する。
実施例１の図１は、ショール１の外形図、図２はショール１の部分開口図である。
ショール１は、生地１gとマイクロカーボンファイバーヒーター（以下、ヒーターという。）2およびスイッチ3と電源電池4によって概略構成されている。
ショール１は、正方形の生地を斜め二つ折りにして上部２角の端を切断して該切断幅の筒状空間１dと為し、電池ポケット４Pやスイッチ３の取り付け及び紐１hを通す空間１dとして利用する。
上記二つ折り構造は、生地と縫製の原価低減に寄与すると共に折り方や切り方を変えることにより形状とデザインの自由度を増すことが出来る。
ヒーター２はショール内の所定の位置に緩衝材で覆って取り付けて、紐1hは前記筒状空間１dを通して紐穴１rから出す。    
電源電池４は、ショール１上部筒状空間１dの中央部に設けた電池ポケット４pに入れて、ファスナー４fを開閉して出し入れする。
電源電池４とヒーター２はスイッチ３を介して、コネクター（図示せず）付きの電源線1wで結ぶ。
【００１１】
上記構成によるショール１は電池容量を確保して置くことにより、例えば前記ゴミ出しに行く時、スイッチ３をONにすればヒーター加熱により短時間で温かな暖房ショールとなり、使用後はスイッチOFFにして保存、あるいは繰返し使用する等短時間使用に適した暖房衣になる。
また前記買い物に行く時は紐１hを使って暖房付きの巻きスカートになり、また繋ぎ具１taと１tb、１tcと１tdを結べば簡単な水仕事もできるボレロになり、さらに車椅子利用者の外出用の膝掛け他多用途に使えるものである。
すなわち、前記ジャッケットやブランケットに比べて広い用途に使えること、立ち上がりの早い放熱効果を生かして任意にON、OFFして短時間の繰返し使用が出来ること、さらに、放熱温度もコントロールできる多用途対応型の便利なショールになる。
また、電源電池を取外せば洗濯する事もできる。
【００１２】
図３乃至図６に示す実施例２は、ショール２１と独立型のヒーターユニット２２と独立型の電池ボックス２４とで概略構成する。
なお、実施例２は実施例１と同様の外形と用途を有するので前記応用例他、重複部分の図示および説明を省略する。
ヒーター２２eを内臓してスイッチ２３を付けた独立型のヒーターユニット２２は、共用ファスナー２２fを開口して、ヒーター部を図３に点線で示したショール２１の内側表面２１bの裏に止め具２２qを使って取り付けると共に、スイッチ部を前記筒状空間２１dに入れてスイッチ穴２３mからスイッチ２３のボタンが出るように組み込む。
充放電用の端子２４jを備えた独立型の電池ボックス２４は、前記実施例１と同様に設置するが、本実施例では共用ファスナー２２fを使って出し入れする。
独立型の電池ボックス２４とヒーターユニット２２は前記電源線２２wとコネクターで結合する。（該コネクター部の詳細説明及び図示を省略する。）
上記構成は、独立型のヒーターユニット２２と電池ボックス２４を取り出せば、ショ
ール２１の洗濯を可能にすると共に、ヒーターユニット２２の構造変更や配線の長さを変えることにより、例えば愛用のコートの内側等任意の場所に独立型のヒーターユニット２２を付けて電池ボックス２４で駆動すればヒターユニット自体がインナーショールとなって、前記使い捨て懐炉に変わる便利な暖房具になる。
【産業上の利用可能性】
【００１３】
この暖房ショールは一般に冷え性の人が簡単に羽織れて，防寒具として使用することが出来る。
【符号の説明】
【００１４】
１・・・・実施例１のショール
１g・・・生地   
１d・・・筒状空間
１h・・・紐
１r・・・紐穴      
１ta、１tb、１tc、１td・・・繋ぎ具
１w・・・電源線
２・・・・ヒーター
３・・・・スイッチ
４・・・・電源電池
４p・・・・電池ポケット
４f・・・・電池ポケット用ファスナー
２１・・・実施例２のショール
２１ｂ・・・ショール２１の内側表面
２２・・・独立型のヒーター
２１d・・・筒状空間
２２e・・・内臓ヒーター
２２f・・・ヒーター２２と電池２４の共用ファスナー
２２w・・・電源線
２３・・・スイッチ
２３m・・スイッチ穴
２４・・・独立型の電池ボックス
２４j・・・充、放電用の端子
【図１】
0003188373.tif 000003
【図２】
0003188373.tif 000004
【図３】
0003188373.tif 000005
【図４】
0003188373.tif 000006
【図５】
0003188373.tif 000007
【図６】
0003188373.tif 000008